(57)【要約】【課題】大型化を防ぎつつ照明器具の保持強度を向上する。【解決手段】引掛シーリングキャップ１のハウジング１０上面から上方に突出する係合部１２，１２を、引掛シーリングボディ２のハウジング２０下面に設けられた係合孔２２，２２に挿入して係合させる。故に、引掛刃１１，１１と引掛刃用刃受部の嵌合だけでなく係合部１２，１２と係合孔２２，２２の係合によっても照明器具１００を保持することができて保持強度が向上する。しかも、引掛シーリングボディ２に外鍔部を設けていた従来例のように引掛シーリングキャップ１並びに引掛シーリングボディ２が大型化するのを防ぐことができる。【選択図】図１
2008047358.tif 000002
【特許請求の範囲】
【請求項１】
照明器具と電気的に接続される引掛刃を有した引掛シーリングキャップと、屋内の電気配線に接続された引掛刃用刃受部を有し天井に取り付けられる引掛シーリングボディとを備え、引掛刃を引掛刃用刃受部に嵌合することにより引掛シーリングキャップと引掛シーリングボディが電気的及び機械的に接続される照明器具取付装置において、
上方に突出する係合部が引掛シーリングキャップの上面に設けられ、係合部が挿入されるとともに引掛刃が引掛刃用刃受部に嵌合した状態において係合部と係合する係合孔が引掛シーリングボディの下面に設けられたことを特徴とする照明器具取付装置。
【請求項２】
係合部は、引掛シーリングキャップの上面と略平行になるように折曲された係合爪が先端部分に設けられ、係合孔は、一端部が係合爪を挿入可能な寸法であり且つ一端部を除く部位が係合爪を挿入不可能な寸法である長孔状に形成されていることを特徴とする請求項１記載の照明器具取付装置。
【請求項３】
係合部と引掛刃を電気的に導通させる手段が引掛シーリングキャップに設けられ、引掛刃用刃受部と係合部を電気的に導通させる手段が引掛シーリングボディに設けられたことを特徴とする請求項１又は２記載の照明器具取付装置。
【発明の詳細な説明】
【技術分野】
【０００１】
本発明は、天井に取り付けられる引掛シーリングボディと、照明器具に取り付けられる引掛シーリングキャップとで構成される照明器具取付装置に関するものである。
【背景技術】
【０００２】
この種の照明器具取付装置として引掛シーリングローゼットがある。引掛シーリングローゼットは、引掛シーリングキャップと引掛シーリングボディで構成され、引掛シーリングキャップの引掛刃で引掛シーリングボディの引掛刃用刃受部に嵌合することによって、電気的及び機械的に接続できるようにしたものである（ＪＩＳ  Ｃ  ８３１０参照）。ここで、かかる引掛シーリングローゼットでは照明器具の重量を引掛刃と引掛刃用刃受部との嵌合部分のみで受けているため、相対的に重量の重い照明器具を取り付けることが困難であった。
【０００３】
そこで従来、引掛刃とは別に引掛シーリングキャップの上面に係止爪を突設し、引掛シーリングボディの周面に設けられた切り欠き部に係止爪を挿入し且つ引掛シーリングボディの周面下部に設けられた外鍔部に係止爪を係止することにより、引掛刃と引掛刃用刃受部の嵌合部分並びに係止爪と外鍔部の係合部分で照明器具の重量を受けるようにして相対的に重量の重い照明器具も取付可能とした照明器具取付装置が提案されている（例えば、特許文献１参照）。
【特許文献１】特開２００２−２９８６３５公報
【発明の開示】
【発明が解決しようとする課題】
【０００４】
しかしながら、特許文献１に記載されている従来例では引掛シーリングボディに設けられた外鍔部に引掛シーリングキャップの係止爪を係止しているため、引掛シーリングキャップ並びに引掛シーリングボディの双方とも外形寸法が大きくなってしまうという問題があった。
【０００５】
本発明は上記事情に鑑みて成されたものであり、その目的は、大型化を防ぎつつ照明器具の保持強度が向上する照明器具取付装置を提供することにある。
【課題を解決するための手段】
【０００６】
請求項１の発明は、上記目的を達成するために、照明器具と電気的に接続される引掛刃を有した引掛シーリングキャップと、屋内の電気配線に接続された引掛刃用刃受部を有し天井に取り付けられる引掛シーリングボディとを備え、引掛刃を引掛刃用刃受部に嵌合することにより引掛シーリングキャップと引掛シーリングボディが電気的及び機械的に接続される照明器具取付装置において、上方に突出する係合部が引掛シーリングキャップの上面に設けられ、係合部が挿入されるとともに引掛刃が引掛刃用刃受部に嵌合した状態において係合部と係合する係合孔が引掛シーリングボディの下面に設けられたことを特徴とする。
【０００７】
請求項２の発明は、請求項１の発明において、係合部は、引掛シーリングキャップの上面と略平行になるように折曲された係合爪が先端部分に設けられ、係合孔は、一端部が係合爪を挿入可能な寸法であり且つ一端部を除く部位が係合溝を挿入不可能な寸法である長孔状に形成されていることを特徴とする。
【０００８】
請求項３の発明は、請求項１又は２の発明において、係合部と引掛刃を電気的に導通させる手段が引掛シーリングキャップに設けられ、引掛刃用刃受部と係合部を電気的に導通させる手段が引掛シーリングボディに設けられたことを特徴とする。
【発明の効果】
【０００９】
請求項１の発明によれば、引掛シーリングキャップ上面から上方に突出する係合部を、引掛シーリングボディ下面に設けられた係合孔に挿入して係合させれば、引掛刃と引掛刃用刃受部の嵌合だけでなく係合部と係合孔の係合によっても照明器具を保持することができて保持強度が向上し、しかも、引掛シーリングボディに外鍔部を設けていた従来例のように引掛シーリングキャップ並びに引掛シーリングボディが大型化するのを防ぐことができる。
【００１０】
請求項２の発明によれば、係合部の係合爪を一端部から係合孔に挿入し、さらに長孔状の係合孔に沿って係合部を移動させるように引掛シーリングキャップを回動することで係合爪が他端部において係合孔と係合するから、引掛刃と引掛刃用刃受部との嵌合と同時に係合部を係合孔に係合させることができる。
【００１１】
請求項３の発明によれば、係合部を機械的接続だけでなく電気的接続にも利用することで引掛シーリングキャップと引掛シーリングボディの電気的接続の信頼性が向上する。
【発明を実施するための最良の形態】
【００１２】
（実施形態１）
本実施形態の照明器具取付装置は、図１に示すように照明器具１００（光源が蛍光ランプの場合は安定器）と電気的に接続される引掛刃を有した引掛シーリングキャップ１と、屋内の電気配線に接続された引掛刃用刃受部（図示せず）を有し天井に取り付けられる引掛シーリングボディ２とを備えている。
【００１３】
照明器具１００は、下方に開口した椀形の器具本体１０１と、器具本体１０１内に収納されている安定器に給電するための給電線を内部に収めて器具本体１０１を吊り下げて支持する紐体１０２とを備えた、いわゆるペンダント形の照明器具であって、紐体１０２の上端に引掛シーリングキャップ１が取り付けられている。
【００１４】
引掛シーリングキャップ１は、円筒形の合成樹脂成形体からなるハウジング１０を具備し、ハウジング１０の下面中心から紐体１０２がハウジング１０内に導入されている。ハウジング１０内では紐体１０２内部に収められている給電線が一対の引掛刃１１，１１と電気的に接続されており、これら一対の引掛刃１１，１１がハウジング１０上面における中心を挟んで対向する位置より上方へ突出している。引掛刃１１は、先端部分がハウジング１０上面と略平行となるようにほぼ直角に折曲されている。またハウジング１０上面においては、ハウジング１０上面と略平行になるように折曲された係合爪１２ａが先端部分に設けられた一対の係合部１２，１２がハウジング１０上面における中心を挟んで対向する位置より上方へ突出している。
【００１５】
引掛シーリングボディ２は円筒形の合成樹脂成形体からなるハウジング２０を具備し、ハウジング２０の内部に引掛刃用刃受部（図示せず）を収納して構成されている。ハウジング２０の下面には引掛刃１１，１１がそれぞれ挿入される円弧状の引掛刃挿入孔２１，２１と、係合部１２，１２がそれぞれ挿入される円弧状の係合孔２２，２２とが各々一対ずつ設けられている。引掛刃挿入孔２１，２１は、ハウジング２０の下面中心を中心とする円周上に当該中心を挟んで対向する位置に設けられている。同様に、係合孔２２，２２もハウジング２０の下面中心を中心とする円周上に当該中心を挟んで対向し且つ引掛刃挿入孔２１，２１に挟まれる位置に設けられている。係合孔２２は、一端部が係合爪１２ａを挿入可能な寸法であり且つ一端部を除く部位が係合爪１２ａを挿入不可能な寸法である円弧形の長孔状に形成されている。
【００１６】
上述のように構成される本実施形態の照明器具取付装置は、引掛刃１１，１１をそれぞれ引掛刃挿入孔２１，２１に挿入するとともに係合部１２，１２を係合孔２２，２２の一端部に挿入した後、引掛シーリングキャップ１のハウジング１０を下方から見て時計回りに回動すれば、引掛刃１１，１１が各々引掛刃用刃受部と嵌合して電気的且つ機械的に接続されるとともに、係合爪１２ａ，１２ａが係合孔２２，２２の他端部において係合孔１２ａ，１２ａの周縁と係合され、引掛シーリングキャップ１と引掛シーリングボディ２が結合されて照明器具１００を取り付けることができる。
【００１７】
而して本実施形態によれば、上述のように引掛シーリングキャップ１のハウジング１０上面から上方に突出する係合部１２，１２を、引掛シーリングボディ２のハウジング２０下面に設けられた係合孔２２，２２に挿入して係合させることによって、引掛刃１１，１１と引掛刃用刃受部の嵌合だけでなく係合部１２，１２と係合孔２２，２２の係合によっても照明器具１００を保持することができて保持強度が向上し、しかも、引掛シーリングボディ２に外鍔部を設けていた従来例のように引掛シーリングキャップ１並びに引掛シーリングボディ２が大型化するのを防ぐことができる。なお、引掛刃１１，１１と係合部１２，１２とは、互いに寸法や間隔を違えておくことにより、引掛刃１１，１１が係合孔２２，２２に、係合部１２，１２が引掛刃挿入孔２１，２１にそれぞれ誤挿入されるのを防ぐことが望ましい。
【００１８】
ところで、引掛シーリングキャップ１において係合部１２，１２と引掛刃１１，１１を互いに電気的に導通させる手段（リード線や金属板など）をハウジング１０内に設けるとともに、引掛シーリングボディ２において引掛刃用刃受部と係合部１２，１２を電気的に導通させる手段（係合爪１２ａ，１２ａが嵌合する刃受など）をハウジング２０内に設けることによって係合部１２，１２を機械的接続だけでなく電気的接続にも利用すれば、引掛シーリングキャップ１と引掛シーリングボディ２の電気的接続の信頼性が向上するという利点がある。
【００１９】
（実施形態２）
本実施形態の照明器具取付装置は、実施形態１と共通の引掛シーリングボディ２と、引掛シーリングキャップの１種であって、照明器具に設けられたホルダ（図示せず）に着脱自在に取り付けられる引掛シーリングアダプタ１’とで構成される。但し、引掛シーリングアダプタ１’の基本的な構成は実施形態１の引掛シーリングキャップ１と共通であるので、共通の構成要素には同一の符号を付して説明を省略し、実施形態１の引掛シーリングキャップ１と異なる構成についてのみ説明する。
【００２０】
引掛シーリングアダプタ１’は、図２に示すようにハウジング１０の周面に設けられた一対の窓孔１３，１３から進退自在に突出し各窓孔１３，１３より突出している状態で照明器具に設けられているホルダと係脱自在に係合する一対の係合部材１４，１４を備えている（但し、図１では片側の窓孔１３及び係合部材１４のみが見えている）。係合部材１４，１４は窓孔１３から進出する向きに弾性付勢されており、ハウジング１０の下面側に設けられている操作レバー（図示せず）を操作して係合部材１４，１４を窓孔１３内に退出させることで係合部材１４，１４とホルダとの係合を解除することができるようになっている。またハウジング１０の下面中央には照明器具の安定器から導出された給電線の先端に付設されているコネクタ（図示せず）が挿抜自在に接続されるようになっており、かかる給電線を介して安定器に給電される。なお、ホルダは上下方向に開口した円筒形であって、上側の開口から引掛シーリングアダプタ１’のハウジング１０が挿通されたときに周面に形成されている段部に係合部材１４，１４が係合することで引掛シーリングアダプタ１’が固定されるものである。但し、かかるホルダは従来周知であるから詳細な構成についての図示並びに説明は省略する。
【００２１】
而して本実施形態においても引掛シーリングアダプタ１’のハウジング１０上面から上方に突出する係合部１２，１２を、引掛シーリングボディ２のハウジング２０下面に設けられた係合孔２２，２２に挿入して係合させることによって、引掛刃１１，１１と引掛刃用刃受部の嵌合並びにホルダの段部と係合部材１４，１４との係合のみならず係合部１２，１２と係合孔２２，２２の係合によっても照明器具１００を保持することができて保持強度が向上し、しかも、引掛シーリングボディ２に外鍔部を設けていた従来例のように引掛シーリングアダプタ１’並びに引掛シーリングボディ２が大型化するのを防ぐことができる。なお、引掛刃１１，１１と係合部１２，１２とは、互いに寸法や間隔を違えておくことにより、引掛刃１１，１１が係合孔２２，２２に、係合部１２，１２が引掛刃挿入孔２１，２１にそれぞれ誤挿入されるのを防ぐことが望ましい。
【００２２】
また、引掛シーリングアダプタ１’において係合部１２，１２と引掛刃１１，１１を互いに電気的に導通させる手段（リード線や金属板など）をハウジング１０内に設けるとともに、引掛シーリングボディ２において引掛刃用刃受部と係合部１２，１２を電気的に導通させる手段（係合爪１２ａ，１２ａが嵌合する刃受など）をハウジング２０内に設けることによって係合部１２，１２を機械的接続だけでなく電気的接続にも利用すれば、引掛シーリングアダプタ１’と引掛シーリングボディ２の電気的接続の信頼性が向上するという利点がある。
【図面の簡単な説明】
【００２３】
【図１】実施形態１を示す斜視図である。
【図２】実施形態２における引掛シーリングアダプタの斜視図である。
【符号の説明】
【００２４】
１  引掛シーリングキャップ
２  引掛シーリングボディ
１０  ハウジング
１１  引掛刃
１２  係合部
１２ａ  係合爪
２０  ハウジング
２１  引掛刃挿入孔
２２  係合孔
１００  照明器具
【図１】
2008047358.tif 000003
【図２】
2008047358.tif 000004